(57)【要約】【課題】トイレ室への入退室を高い信頼性をもってかつ安価な構成によって検知できるトイレ装置を提供する。【解決手段】便器２とその上の温水洗浄便座３を設置したトイレ室１の出入口４に開閉可能なドア５を配設したトイレ装置において、ドア５またはその周囲に振動検知手段１２とその検知信号を無線送信する送信部１５を有するドア開閉検知装置６を配設し、温水洗浄便座３の本体部７に、ドア開閉検知装置６からの検知信号の受信部１７と受信した検知信号に基づいてトイレ室１に対する入室と退室を判定する入退室判定部１８を有する制御部１６を設け、ドア５の開閉による振動を検知して入退室を検知するようにした。【選択図】      図１
2004263420.tif 000002
【特許請求の範囲】
【請求項１】
便器とその上の温水洗浄便座を設置したトイレ室の出入口に開閉可能なドアを配設したトイレ装置において、ドアまたはその周囲に振動検知手段とその検知信号を無線送信する送信手段を有するドア開閉検知装置を配設し、温水洗浄便座の本体部に、ドア開閉検知装置からの検知信号の受信手段と受信した検知信号に基づいてトイレ室に対する入室と退室を判定する入退室判定部を有する制御部を設けたことを特徴とするトイレ装置。
【請求項２】
入退室判定部は、トイレ室から退室と判定されている状態でドア開閉検知装置からの検知信号を受信すると入室と判定し、その後所定時間内にドア開閉検知装置からの検知信号を受信したとき及び所定時間経過すると退室と判定することを特徴とする請求項１記載のトイレ装置。
【請求項３】
便座上に着座している状態を検知する着座検知手段を設け、入退室判定部は、着座検知手段のオン検知状態ではドア開閉検知装置からの検知信号の有無に関わらず入室と判定することを特徴とする請求項１又は２記載のトイレ装置。
【請求項４】
便座上に着座している状態を検知する着座検知手段を設け、入退室判定部は、入室と判定した後着座検知手段がオン検知しない状態で所定時間経過すると退室と判定することを特徴とする請求項１〜３の何れかに記載のトイレ装置。
【請求項５】
便座上に着座している状態を検知する着座検知手段を設け、入退室判定部は、着座検知手段のオン検知後そのオフ検知から所定時間以内にドア開閉検知装置からの検知信号を受信したとき及びオフ検知から所定時間経過したときにトイレ室からの退室と判定することを特徴とする請求項１〜４の何れかに記載のトイレ装置。
【請求項６】
便座の開閉状態を検知する便座開閉検知手段を設け、入退室判定部は、便座開閉検知手段の検知信号により便座が開かれたことを検知すると入室状態を維持していると判定することを特徴とする請求項１〜５の何れかに記載のトイレ装置。
【請求項７】
入退室判定部は、便座が開かれたことを検知している状態でドア開閉検知装置からの検知信号を受信すると退室と判定することを特徴とする請求項６記載のトイレ装置。
【請求項８】
入退室判定部は、便座が閉じられるとドア振動の検知の有無に関わらず退室と判定することを特徴とする請求項６記載のトイレ装置。
【請求項９】
制御部は、入室判定時には、便蓋の開動作と便座の控えめ運転解除と空調装置の強運転の少なくとも１つの動作を行う入室モード運転を行い、退室判定時には、便蓋の閉動作と便座の控えめ運転と空調装置の停止又は弱運転の少なくとも１つの動作を行う退室モード運転を行うことを特徴とする請求項１〜８の何れかに記載のトイレ装置。
【請求項１０】
ドア開閉検知装置に、振動検知手段の感度を調整する手段を設けたことを特徴とする請求項１記載のトイレ装置。
【請求項１１】
振動検知手段の感度を調整する手段は、ＣＲ時定数の切換手段であることを特徴とする請求項１０記載のトイレ装置。
【請求項１２】
送信手段は、高視野角に発光可能な発光部を有することを特徴とする請求項１記載のトイレ装置。
【請求項１３】
送信手段は、微弱電波の発信部を有することを特徴とする請求項１記載のトイレ装置。
【発明の詳細な説明】
【０００１】
【発明の属する技術分野】
本発明はトイレ装置に関し、特にトイレ室への入退室を的確に検知するようにしたトイレ装置に関するものである。
【０００２】
【従来の技術】
従来から、トイレ室内に便器とその上の温水洗浄便座を設置したトイレ装置において、トイレ室への入室を検知して、温水洗浄装置の洗浄水の加熱を開始したり、空調装置や換気装置の運転開始や強運転への切り換えなどを行ったり、便蓋を開いたりするようにしたものは知られている。
【０００３】
また、トイレ室への入室を検知する手段としては、赤外線検知センサを温水洗浄装置の本体部に配設したもの（例えば、特許文献１参照。）や、超音波検知センサをトイレ室の入口部に配設したもの（例えば、特許文献２参照。）などが知られている。検知センサとしては、赤外線検知センサや超音波検知センサ以外に光電式検知センサなどのその他のセンサなども用いられ、大別して焦電式と測距式に分けられる。また、配設箇所としてはトイレ室の壁面や天井面に設けたものなども知られている。
【０００４】
【特許文献１】
特公平１−２２４０７号公報
【０００５】
【特許文献２】
特開昭６０−２５３６３５号公報
【０００６】
【発明が解決しようとする課題】
しかしながら、焦電式検知センサを用いたものは、夏場など体温に近い気温のときには感度が鈍ることがある等、検知に対する信頼性が低く、また測距式の場合、着衣の材質・色によって光の反射率が異なるために検知が不安定になったり、検知センサの配置場所と人との間の距離が異なると適切な検知ができないため、トイレ室毎、配設場所毎に距離感度を調整する必要があって使い勝手が悪く、また両検知センサともに正面にいる人体を捕捉する光学系を有しているため、温水洗浄便座の本体部に設置する場合、便蓋の開閉に関わらず人体が正面になる箇所とデザイン性とが両立しないという問題があり、また焦電式では感度の高いセンサと高ゲインのアンプ回路が必要であり、測距式では発光・受光を高精度に行って距離に換算する演算手段が必要であるため、コスト高になるという問題がある。
【０００７】
本発明は、上記従来の問題点に鑑み、トイレ室への入退室を高い信頼性をもってかつ安価な構成によって検知できるトイレ装置を提供することを目的としている。
【０００８】
【課題を解決するための手段】
本発明のトイレ装置は、便器とその上の温水洗浄便座を設置したトイレ室の出入口に開閉可能なドアを配設したトイレ装置において、ドアまたはその周囲に振動検知手段とその検知信号を無線送信する送信手段を有するドア開閉検知装置を配設し、温水洗浄便座の本体部に、ドア開閉検知装置からの検知信号の受信手段と受信した検知信号に基づいてトイレ室に対する入室と退室を判定する入退室判定部を有する制御部を設けたものであり、ドアの開閉に伴う振動の検知に基づいて入退室を判定するので複雑な調整を要することなく、使い勝手良く高い信頼性をもって検知でき、また温水洗浄便座の本体部では無線受信するだけであるのでデザインの自由度が高く、またドア開閉検知装置は振動検知手段と送信手段から成る極めて簡単な構成で安価に実施することができる。
【０００９】
具体的には、入退室判定部は、トイレ室から退室と判定されている状態でドア開閉検知装置からの検知信号を受信すると入室と判定し、その後所定時間内にドア開閉検知装置からの検知信号を受信したとき及び所定時間経過すると退室と判定すると、検知信号の誤検出があっても所定時間後には常に退室にリセットされた状態となるので好適である。
【００１０】
また、便座上に着座している状態を検知する着座検知手段を設け、入退室判定部は、着座検知手段のオン検知状態ではドア開閉検知装置からの検知信号の有無に関わらず入室と判定し、また入室と判定した後着座検知手段がオン検知しない状態で所定時間経過すると退室と判定し、また着座検知手段のオン検知後そのオフ検知から所定時間以内にドア開閉検知装置からの検知信号を受信したとき及びオフ検知から所定時間経過したときにトイレ室からの退室と判定するようにすると、ドア開閉検知装置と着座検知手段の検知信号の組み合わせによって、トイレ室への入退室を一層適切に判定することができる。
【００１１】
また、便座の開閉状態を検知する便座開閉検知手段を設け、入退室判定部は、便座開閉検知手段の検知信号により便座が開かれたことを検知すると入室状態を維持していると判定し、また便座が開かれたことを検知している状態でドア開閉検知装置からの検知信号を受信すると退室と判定し、また便座が閉じられるとドア振動の検知の有無に関わらず退室と判定するようにすると、便座の開閉検知の組み合わせによって、一層適切に入退室を判定することができる。
【００１２】
また、制御部は、入室判定時には、便蓋の開動作と便座の控えめ運転解除と空調装置の強運転の少なくとも１つの動作を行う入室モード運転を行い、退室判定時には、便蓋の閉動作と便座の控えめ運転と空調装置の停止又は弱運転の少なくとも１つの動作を行う退室モード運転を行うようにすると、トイレ室に対する入退室に応じて自動的に各種機器の運転切換が行われるので、快適にトイレを使用することができる。
【００１３】
また、ドア開閉検知装置に、振動検知手段の感度を調整する手段を設けると、例えばドアが引き戸の場合にドア枠などの周辺部にドア開閉検知装置を取付けることでドア開閉に伴って発生する振動が微弱な場合にも確実に検知できるようにしたり、逆に振動の多い環境に取付けるような場合に誤作動しない程度に感度を低下させる等の調整を行って、信頼性の高い検知を実現することができる。
【００１４】
また、振動検知手段の感度を調整する手段がＣＲ時定数の切換手段であると、ハード的に切り換えることができ、ソフト的に切り換える回路を設けた場合に消費電力が大きくなって電池寿命が短くなるのに比して電池寿命を向上できる。
【００１５】
また、送信手段としては、高視野角に発光可能な発光部を有するものや、微弱電波の発信部を有するものが、トイレ室におけるドアの配設場所やドア開閉検知装置の取付状態に関わらず確実に送受信できて好適である。
【００１６】
【発明の実施の形態】
以下、本発明のトイレ装置の一実施形態について、図１〜図３を参照して説明する。
【００１７】
図１において、１はトイレ室で、内部に便器２とその上の温水洗浄便座３が設置されている。４はトイレ室１の出入口で、ドア５にて開閉可能に閉じられている。ドア５またはその周辺部に、ドア５の開閉時の振動によって開閉を検知するドア開閉検知装置６が取付けられている。温水洗浄便座３は、本体部７と、本体部７に便器２上に設置した状態と上方に立ち上げた状態との間で上下回動可能に取付けられた便座８と、同じく本体部７に開閉可能に取付けられた便蓋９と、便座８上に人が着座している状態を検知する着座検知手段１０と、便座８の開閉状態を検知する便座開閉検知手段１１と、洗浄ノズルから局部に温水を噴射して洗浄する洗浄手段（図示せず）を備えている。
【００１８】
ドア開閉検知装置６は、図１（ｂ）に示すように、振動を受けると電気信号を出力する振動検知手段１２と、この振動検知手段１２に接続されたＣＲ時定数回路から成る感度調整回路１３と、その出力信号を送信信号に変換処理するマイコン１４と、マイコン１４からの送信信号を高視野角に光信号として出力する発光部または微弱電波として出力する発信部から成る送信部１５を備えている。
【００１９】
温水洗浄便座３の本体部７には、その動作制御を行う制御部１６が設けられている。この制御部１６には、ドア開閉検知装置６の送信部１５から送信された無線信号を受信する受信部１７と、受信部１７で受信した信号と着座検知手段１０と便座開閉検知手段１１による検知信号に基づいてトイレ室１内に人が入室したか、退室したかを判定する入退室判定部１８を備えている。
【００２０】
入退室判定部１８においては、次のようなアルゴリズムによって入退室の判定が行われる。
【００２１】
（１）トイレ室１から退室と判定されている状態でドア開閉検知装置６からの検知信号を受信すると入室と判定する。
【００２２】
（２）入室と判定した後、着座検知手段１０がオン検知しない状態で所定時間（例えば３分間）経過すると退室と判定する。
【００２３】
（３）着座検知手段１０のオン検知状態ではドア開閉検知装置６からの検知信号の有無に関わらず入室と判定する。
【００２４】
（４）着座検知手段１０のオン検知後そのオフ検知から所定時間（例えば３分間）以内にドア開閉検知装置６からの検知信号を受信したときは退室と判定する。
【００２５】
（５）着座検知手段１０のオフ検知から所定時間（例えば３分間）経過したときにはドア開閉検知装置６からの検知信号を受信しなくても退室と判定する。
【００２６】
（６）便座開閉検知手段１１の検知信号により便座８が開かれたことを検知すると、ドア振動を検知しなければ入室状態を維持していると判定し、ドア振動を検知すると退室と判定する。
【００２７】
（７）便座開閉検知手段１１の検知信号により便座８が開いた後閉じられるとドア振動の検知の有無に関わらず退室と判定する。
【００２８】
このアルゴリズムによる判定を、図２、図３を参照して分説すると、▲１▼はドア振動の検知のみの場合の判定で、検知から所定時間（例えば３分間）は入室と判定し、所定時間経過すると退室と判定する。▲２▼は着座検知がある場合（人が便座８に着座して用便する場合）の判定で、着座を検知すると入室と判定し、着座検知オフから所定時間（例えば３分間）内にドア振動を検知すると退室と判定し、所定時間が経過した後はドア振動を検知しなくても退室と判定し、所定時間が経過した後ドア振動を検知すると入室と判定する。▲３▼は便座８に着座されずに、便座８が開かれた場合（男性の小用の場合）の判定で、便座８を開いた状態では、ドア振動を検知しないときは入室を維持していると判定し、ドア振動を検知すると退室と判定し、閉じられるとドア振動の検知の有無に関わらず退室と判定する。
【００２９】
そして、制御部１５は、入室したと判定すると入室モードの制御を行い、退室したと判定すると退室モードの制御を行う。入室モード制御は、便蓋開閉装置１９を作動させて便蓋９を開動作させ、また便座８を加温する便座加熱装置２０の控えめ運転を解除して所定温度に速やかに達するように加熱し、また冷房や暖房や換気を行う空調装置２１を強運転する。逆に、退室モード制御は、便蓋開閉装置１９を作動させて便蓋９を閉動作させ、また便座８を加温する便座加熱装置２０を控えめ運転に切り換え、また空調装置２１を弱運転若しくは停止する。
【００３０】
なお、上記実施形態におけるドア５は、開閉自在に枢支されたヒンジドアとレールに沿ってスライドするスライドドアの何れでも良く、ヒンジドアの場合はドア開閉検知装置６はドアとドア枠の周辺の何れに配設しても良く、スライドドアの場合は周囲の部材と干渉する恐れがあるのでドアではなくドア枠の周辺部に配設するのが好ましい。
【００３１】
また、ドア開閉検知装置６の感度調整回路１３における調整は、例えば鉄道や交通量の多い道路近傍のように、元々振動の多い環境の場合には感度が鈍い目に切り換え、逆にドア開閉検知装置６をドア５ではなく、ドア枠の周辺のようにドア５の開閉に伴って僅かな振動しか受けない場所に配設する場合には感度を高めに設定する。その際、ＣＲ時定数回路の切り換えにより、ハード的に行うように構成することで、ソフト的に処理する場合に比して消費電力を節減できて電池の寿命を向上することができる。
【００３２】
【発明の効果】
本発明のトイレ装置によれば、ドアの開閉に伴う振動の検知に基づいて入退室を判定するので複雑な調整を要することなく、使い勝手良く高い信頼性をもって検知でき、また温水洗浄便座の本体部では無線受信するだけであるのでデザインの自由度が高く、またドア開閉検知装置は振動検知センサと送信手段から成る極めて簡単な構成で安価な実施することができる。
【図面の簡単な説明】
【図１】本発明の一実施形態のトイレ装置の概略構成を示し、（ａ）は全体概略構成図、（ｂ）はドア開閉振動検知装置の構成図である。
【図２】同実施形態における入室モードと退室モードの判定の説明図である。
【図３】同実施形態におけるトイレ室に対する入退室動作と入室モードと退室モードの判定を示すのタイムチャートである。
【符号の説明】
１  トイレ室
２  便器
３  温水洗浄便座
４  出入口
５  ドア
６  ドア開閉検知装置
８  便座
１０  着座検知手段
１１  便座開閉検知手段
１２  振動検知手段
１３  感度調整回路
１５  送信部
１６  制御部
１７  受信部
１８  入退室判定部
１９  便蓋開閉装置
２０  便座加熱装置
２１  空調装置
【図１】
2004263420.tif 000003
【図２】
2004263420.tif 000004
【図３】
2004263420.tif 000005